(57)【特許請求の範囲】
【請求項１】
容器体２の口頚部３に嵌合させる装着キャップ４と、装着キャップ上端から起立した縦筒５の中間部からシリンダ６を、その上部から射出筒７をそれぞれ前方へ突出してなるポンプ本体８と、ポンプ本体上面及び両側面及び後面を被覆して設けたカバー９と、射出筒７先端に連結した噴出口10付きの噴出ヘッド11と、噴出ヘッド11の回動により噴出口10の開閉を行う如く構成した開閉機構と、射出筒７前部より揺動可能に垂設したトリガー12とを備え、トリガーの操作による内蔵ポンプ機構の作用で容器体内の液を吸い上げて噴出口10より噴出する如く構成したトリガー式液体噴出ポンプに於いて、カバー両側壁部9a内面に上部両側をそれぞれ枢着したトリガー12の先端部12a を、前後揺動可能にカバー頂壁部9bに貫通させ、トリガー先端部12a 前面に後端を当接係止させたトリガー係止状態から、トリガー先端部12a が前方移行可能なトリガー揺動可能状態への回動が可能に、カバー９上面に係止板27を設け、係止板27は、前記トリガー係止状態に於いて、噴出口10を閉じた状態の噴出ヘッド11上面に、その回動を阻止して先端部下面を当接係止するとともに、前記トリガー揺動可能状態への回動時には先端部下面の当接係止が解除する如く構成したことを特徴とするトリガー式液体噴出ポンプ
【発明の詳細な説明】
【０００１】
【発明の属する技術分野】
本発明はトリガー式液体噴出ポンプに関する。
【０００２】
【従来の技術】
トリガー式液体噴出ポンプとして、例えば、容器体口頚部に嵌合させた装着キャップと、該キャップ上方に嵌着固定するとともに、装着キャップ上端から起立した縦筒の中間部からシリンダを、その上部からは射出筒をそれぞれ前方へ突出してなるポンプ本体と、射出筒先端に嵌着させた噴出ヘッドと、射出筒前部から揺動可能に垂設するとともに、シリンダ内に前方付勢状態で嵌合させたプランジャの先端部を押し込み可能に連係させたトリガーとを備え、該トリガーの操作により内蔵ポンプ機構の作用で容器体内の液を吸い上げてヘッドの噴出口より噴出する如く構成したものが知られている。また、この種噴出ポンプでは、一般に、不用意なトリガーの操作による液の漏出、或いは商品陳列時に於ける悪戯の防止を図るために、射出筒前端に設けたノズル嵌合筒に噴出ヘッドを回動可能に設けるとともに、両者間に噴出ヘッドを回動させることにより液流路の連通が遮断され、元の状態に戻せば連通する開閉機構を設けている。
【０００３】
【発明が解決しようとする課題】
しかしながら、上記した開閉機構を設けたものにあっては、トリガーはプランジャを介して液圧により押し込み不能に係止されているため、液流路閉塞状態のままで度々トリガーを引き寄せると、プランジャの若干の押し込みが可能となり、シリンダ内の異常な高圧化で吐出弁を通って、吐出弁下流の射出筒前方部分内に高圧液体が溜まることがある。このようになると噴出ヘッドを液流路連通位置まで回した時、その射出筒前方部分内に溜まっていた高圧液体が、トリガー操作を行わなくてもノズル孔から噴出する不都合が生じたり、また、トリガーを強く引き寄せると、射出筒内の高圧化で噴出ヘッドがノズル嵌合筒から外れる虞もあった。本発明は上記した点に鑑みなされたもので、不使用時等にトリガー操作を確実に防止して上記した不都合を解消することが出来、また、使用時には取り扱いが便利であり、その構造も簡単な優れたトリガー式液体噴出ポンプを提案するものである。
【０００４】
【課題を解決するための手段】
第１の手段として、容器体２の口頚部３に嵌合させる装着キャップ４と、装着キャップ上端から起立した縦筒５の中間部からシリンダ６を、その上部から射出筒７をそれぞれ前方へ突出してなるポンプ本体８と、ポンプ本体上面及び両側面及び後面を被覆して設けたカバー９と、射出筒７先端に連結した噴出口10付きの噴出ヘッド11と、噴出ヘッド11の回動により噴出口10の開閉を行う如く構成した開閉機構と、射出筒７前部より揺動可能に垂設したトリガー12とを備え、トリガーの操作による内蔵ポンプ機構の作用で容器体内の液を吸い上げて噴出口10より噴出する如く構成したトリガー式液体噴出ポンプに於いて、カバー両側壁部9a内面に上部両側をそれぞれ枢着したトリガー12の先端部12a を、前後揺動可能にカバー頂壁部9bに貫通させ、トリガー先端部12a 前面に後端を当接係止させたトリガー係止状態から、トリガー先端部12a が前方移行可能なトリガー揺動可能状態への回動が可能に、カバー９上面に係止板27を設け、係止板27は、前記トリガー係止状態に於いて、噴出口10を閉じた状態の噴出ヘッド11上面に、その回動を阻止して先端部下面を当接係止するとともに、前記トリガー揺動可能状態への回動時には先端部下面の当接係止が解除する如く構成した。
【０００５】
【発明の実施の形態】
以下、本発明の実施例の形態を図面を参照して説明する。本発明のトリガー式液体噴出ポンプ１は、容器体２の口頚部３に嵌合させる装着キャップ４と、装着キャップ上端から起立した縦筒５の中間部からシリンダ６を、その上部から射出筒７をそれぞれ前方へ突出してなるポンプ本体８と、ポンプ本体上面及び両側面及び後面を被覆して設けたカバー９と、射出筒７先端に連結した噴出口10付きの噴出ヘッド11と、射出筒７前部より揺動可能に垂設したトリガー12とを備え、トリガーの操作により内蔵ポンプ機構の作用で容器体内の液を吸い上げて噴出口10より噴出する如く構成した公知のポンプ機構を備えたものである。
【０００６】
図示例により内蔵ポンプ機構の一例を説明すると、シリンダ内にコイルスプリング13により前方付勢させて押し込み可能に嵌合させたプランジャ14の先端をトリガー上部に連係させ、また、縦筒５内下部に吸い込み弁15を、上部に吐出弁16をそれぞれ設け、吸い込み弁15下流の縦筒５内とシリンダ６内とを連通させるとともに、吐出弁16下流の縦筒５内と射出筒７内とを連通させている。尚、図中17はパイプを示す。また、本実施例に於ける噴出ヘッド11は、左右方向へ回動させることにより噴出口10の開閉を行える公知の開閉機構を備えている。
【０００７】
図示例では連結筒部材18を介して射出筒７先端に回動可能に連結している。連結筒部材18は、射出筒７外周先端部に密嵌させた後部嵌合筒19を後面より突設して射出筒７前面に垂直仕切板20を密接させ、垂直仕切板20の前面より射出筒と中心を下方へ異にする大径の前部嵌合筒21を突設し、この前部嵌合筒中央に横円柱状の軸柱22を突設している。また、垂直仕切板20に穿設した透孔を介して射出筒７内と前部嵌合筒21内とを連通している。
【０００８】
噴出ヘッド11は、前部嵌合筒21外周に回動可能に嵌合させた外部嵌合筒23を前板24の裏面周縁部より突設し、その内周に突設した内部嵌合筒25を軸柱22外周に液密且つ回動可能に嵌合させている。そして、軸柱22の外周前部に穿設した前後方向に延びる凹溝26と、内部嵌合筒25内周先端部に穿設した前後後方に延びる凹溝とを連通させることにより、射出筒７内と噴出口10とを連通する如く構成した公知の開閉機構を備えている。また、外部嵌合筒23外周前部に内周前部を連結した正面視逆三角形状をなす横三角筒状の外周壁を延設しており、上面が水平面にある時に噴出口が遮断され、６０°回動状態で噴出可能となる如く構成している。従って、図１の状態では、噴出口10と射出筒７内とが非連通の状態である。
【０００９】
本発明では、上記したこの種の噴出ポンプに於いて、カバー両側壁部9a内面に上部両側をそれぞれ枢着したトリガーの先端部12a を、前後揺動可能にカバー頂壁部9bに貫通させ、トリガー先端部12a 前面に後端を当接係止させた状態から、トリガー先端部が前方移行可能な状態への回動が可能に、カバー９上面に係止板27を設けている。
【００１０】
図示例に於けるトリガー12は、前板28両側より後方へ側板29をそれぞれ延設し、各側板29の上端は前板28より上方へ突設しており、その突出部分両側をカバーの側壁部9a内面に各々枢着している。更に、各側板29の上端部であるトリガー先端部12a を、カバーの頂壁部9b前部左右に穿設した前後方向に長い一対の切り溝30を介してその上方へ前後揺動可能に上方へ突出している。トリガー12は、枢着部下方をコイルスプリング13によりプランジャ14を介して前方へ付勢された状態で係止されているため、その先端部12a は、切り溝30内を後方へ移行した状態で係止されている。
【００１１】
係止板27は、前後に長い矩形板状をなし、上面中央を前後に走る指掛け板31を突設しており、また、上面後部より各トリガー先端部12a を被覆する、両側面及び下面開放の箱形をなす被覆部32を延設している。係止板27の裏面からは回動軸33を突設し、この回動軸33をカバー９の頂壁部9bに回動可能に嵌合させている。更に具体的に言えば、カバー頂壁部9bの先端中央にＵ字状の切欠き部34を設け、この切欠き部34に前方より回動軸33の小径部分を挿入嵌合させ、次いで、連結筒部材18の垂直仕切板20上端部より後方へ突設し、先端部を半円状に凹ませた係止突起35を切欠き部34に前方から嵌合させて、回動軸33を回動可能且つ抜け出し不能に固定している。
【００１２】
また、本実施例では、係止板27の先端部下面を噴出口10を閉じた状態の噴出ヘッド11上面に、その回動を阻止して下面を当接係止させている。従って、トリガー12の引き込み防止と、噴出口の遮断の二重のロック構造となっている。上記の如く構成したポンプを使用する場合に付いて説明すると、図１に示す状態では噴出口10は遮断され、トリガー12の引き込みも不能で、液の噴出は不可能である。この状態から係止板27の指掛け板31を掴んで約９０°回動させると、トリガー先端部12a の係止板27との係合が外れ、また、噴出ヘッド11上面と係止板27との係合が外れる。この状態から噴出ヘッド11を約６０°回動させて噴出口10を開口し、次いでトリガー12を引くことにより容器体内の液体を噴出することができる。使用後は再び噴出ヘッド11を元の状態に回動させた後、係止板27を元の状態に回動させれば良い。尚、上記各部材は主として合成樹脂により形成している。
【００１３】
【発明の効果】
以上説明した如く本発明噴出ポンプは、既述構成としたことにより、不使用時には、係止板によりトリガーの引き込みを確実に防止できて、ポンプ内の異常な高圧化を防止でき、不用意な液の漏出を防止できるとともに、噴出ヘッドが外れる等の不都合を生じることもない。また、使用時には係止板を回動させるだけで液の噴出が可能となり、取り扱いも極めて便利である。また、従来品と比較して、トリガーの先端をカバー上方へ突出させるというトリガーの一部の変更と、簡単な構造の係止板を新たに設けるだけでよいため、製造も従来品と其ほど変わりなく、容易に行えるという利点を兼ね備えている。また、トリガーの引き込み防止と、噴出口の遮断との二重ロックを行えるため、更に確実に液の不用意な漏出を防止でき、しかも、それらの係止及び係止解除を係止板の一回の回動操作により一遍に行える便利もある。
【図面の簡単な説明】
【図１】本発明の一実施例を示す縦断面図である。
【図２】同実施例の斜視図である。
【図３】同実施例の分解斜視図である。
【図４】同実施例のトリガーの引き込み可能状態を示す斜視図である。
【符号の説明】
２…容器体，３…口頚部，４…装着キャップ，５…縦筒，６…シリンダ，７…射出筒，  ８…ポンプ本体，９…カバー，9a…側壁部，9b…頂壁部，10…噴出口，  11…噴出ヘッド，12…トリガー，12a …先端部，27…係止板，
【図１】
0003780443.tif 000002
【図２】
0003780443.tif 000003
【図３】
0003780443.tif 000004
【図４】
0003780443.tif 000005